(57)【要約】【課題】吐出ノズルごとに実際に吐出される量を正確に把握可能な分注装置、分析装置および吐出チップを提供すること。【解決手段】所定量の液体を保持し、液体を外部へ吐出する吐出量を決定する吐出ノズル１４２と、吐出ノズル１４２に接続されるとともに液体を外部へ吐出する際の流路となる吐出口１４３と、吐出口１４３から液体を外部へ吐出するための圧力を液体に加える加圧機構１２と、外部へ吐出される液体の吐出量に関する情報を保持するＩＣタグ１５と、を有する。【選択図】        図１
2007170973.tif 000002
【特許請求の範囲】
【請求項１】
所定量の液体を保持し、当該液体を外部へ吐出する吐出量を決定する吐出ノズルと、
前記吐出ノズルに接続されるとともに前記液体を外部へ吐出する際の流路となる吐出口と、
前記吐出口から前記液体を外部へ吐出するための圧力を当該液体に加える加圧機構と、
外部へ吐出される前記液体の吐出量に関する情報を保持する情報記憶部と、
を有することを特徴とする分注装置。
【請求項２】
前記吐出ノズルによって決定される前記吐出量は、当該吐出ノズルの容積に基づいて決定されることを特徴とする請求項１に記載の分注装置。
【請求項３】
前記吐出ノズルを複数有することを特徴とする請求項１に記載の分注装置。
【請求項４】
前記情報記憶部は、複数の前記吐出ノズルごとに前記吐出量に関する情報を保持することを特徴とする請求項３に記載の分注装置。
【請求項５】
前記情報記憶部が保持する前記吐出量に関する情報は、前記吐出ノズルの個体差に応じた情報であることを特徴とする請求項１に記載の分注装置。
【請求項６】
前記個体差に応じた情報とは、前記吐出ノズルの容積のばらつきの情報であることを特徴とする請求項５に記載の分注装置。
【請求項７】
前記吐出ノズルの容積のばらつきの情報は、外部へ吐出される前記液体の量である実効分注量であることを特徴とする請求項６に記載の分注装置。
【請求項８】
前記吐出ノズルの容積のばらつきの情報は、前記吐出ノズルの製造ロットもしくは前記吐出ノズルを製造する際に利用した金型の番号に対応することを特徴とする請求項６に記載の分注装置。
【請求項９】
前記情報記憶部は、ＩＣタグ、光学的に読み取り可能なコード、または肉眼で可視可能な文字もしくは記号を含むことを特徴とする請求項１に記載の分注装置。
【請求項１０】
前記吐出ノズルと接続されるとともに前記液体を保持するリザーバをさらに有し、
前記リザーバに保持された前記液体は、毛細管力を利用して前記吐出ノズルに導入されることを特徴とする請求項１に記載の分注装置。
【請求項１１】
前記液体は、生体試料であることを特徴とする請求項１に記載の分注装置。
【請求項１２】
所定量の液体を保持し、当該液体を外部へ吐出する吐出量を決定する吐出ノズルと、
前記吐出ノズルに接続されるとともに前記液体を外部へ吐出する際の流路となる吐出口と、
前記吐出口から前記液体を外部へ吐出するための圧力を当該液体に加える加圧機構と、
外部へ吐出される前記液体の吐出量に関する情報を保持する情報記憶部と、
前記情報記憶部に保持された前記吐出量に関する情報を読み取る読取部と、
前記読取部で読み取った前記吐出量に関する情報を処理する情報処理部と、
を有することを特徴とする分析装置。
【請求項１３】
前記吐出量に関する情報に応じて補正を加える補正手段をさらに有することを特徴とする請求項１２に記載の分析装置。
【請求項１４】
前記補正手段は、前記吐出量に関する情報と対応付けられた補正のための情報を有することを特徴とする請求項１３に記載の分析装置。
【請求項１５】
前記補正手段は、外部へ吐出された後の前記液体に加える試薬の量を調整することを特徴とする請求項１３に記載の分析装置。
【請求項１６】
前記補正手段は、外部へ吐出された後の前記液体の分析データを補正することを特徴とする請求項１３に記載の分析装置。
【請求項１７】
所定量の液体を保持し、当該液体を外部へ吐出する吐出量を決定する吐出ノズルと、
前記吐出ノズルに接続されるとともに前記液体を外部へ吐出する際の流路となる吐出口と、
前記液体に圧力が印加されることにより前記吐出口から外部へ吐出される前記液体の吐出量に関する情報を保持する情報記憶部と、
を有することを特徴とする吐出チップ。
【発明の詳細な説明】
【技術分野】
【０００１】
本発明は、所望の液体を微量分注する分注装置、分析装置および吐出チップに関するものである。
【背景技術】
【０００２】
従来、生体に関する分析を行なうため、ｎＬ〜μＬ単位の微小の量の検体を吐出し、吐出した検体に試薬を分注し、検体と試薬との混合液の吸光度を測定し、この測定結果をもとに検体の分析を行う分析装置が知られている。一般に分析装置は、検体である液体を吐出する分注装置を備えている。分注装置の構成として、特許文献１および特許文献２には、液体を吐出する吐出ノズルを有する分注チップを備え、該吐出ノズルに保持された液体に圧力を加えて所定の量の液体を吐出する技術が開示されている。
【０００３】
【特許文献１】特表２０００−５００５６７号公報
【特許文献２】独国特許発明第１０１０２１５２号明細書
【発明の開示】
【発明が解決しようとする課題】
【０００４】
ところで、上記チップを利用して吐出される液体の量は、吐出ノズルの容積に左右される。一般に吐出チップは、金型を用いた射出成型によって形成されるが、この金型自体の加工精度、あるいは加工工程の諸条件によって吐出ノズルの容積がばらつく場合がある。このため、実際に吐出ノズルから吐出される液体の量は、設計上の量と異なるため、実際に吐出される量を正確に把握することが困難であった。
【０００５】
本発明は、上記に鑑みてなされたものであって、吐出ノズルごとに実際に吐出される量を正確に把握可能な分注装置、分析装置および吐出チップを提供することを目的とする。
【課題を解決するための手段】
【０００６】
上記目的を達成するために、請求項１にかかる分注装置は、所定量の液体を保持し、当該液体を外部へ吐出する吐出量を決定する吐出ノズルと、前記吐出ノズルに接続されるとともに前記液体を外部へ吐出する際の流路となる吐出口と、前記吐出口から前記液体を外部へ吐出するための圧力を当該液体に加える加圧機構と、外部へ吐出される前記液体の吐出量に関する情報を保持する情報記憶部と、を有することを特徴とする。
【０００７】
また、請求項２にかかる分注装置は、上記の発明において、前記吐出ノズルによって決定される前記吐出量は、当該吐出ノズルの容積に基づいて決定されることを特徴とする。
【０００８】
また、請求項３にかかる分注装置は、上記の発明において、前記吐出ノズルを複数有することを特徴とする。
【０００９】
また、請求項４にかかる分注装置は、上記の発明において、前記情報記憶部は、複数の前記吐出ノズルごとに前記吐出量に関する情報を保持することを特徴とする。
【００１０】
また、請求項５にかかる分注装置は、上記の発明において、前記情報記憶部が保持する前記吐出量に関する情報は、前記吐出ノズルの個体差に応じた情報であることを特徴とする。
【００１１】
また、請求項６にかかる分注装置は、上記の発明において、前記個体差に応じた情報とは、前記吐出ノズルの容積のばらつきの情報であることを特徴とする。
【００１２】
また、請求項７にかかる分注装置は、上記の発明において、前記吐出ノズルの容積のばらつきの情報は、外部へ吐出される前記液体の量である実効分注量であることを特徴とする。
【００１３】
また、請求項８にかかる分注装置は、上記の発明において、前記吐出ノズルの容積のばらつきの情報は、前記吐出ノズルの製造ロットもしくは前記吐出ノズルを製造する際に利用した金型の番号に対応することを特徴とする。
【００１４】
また、請求項９にかかる分注装置は、上記の発明において、前記情報記憶部は、ＩＣタグ、光学的に読み取り可能なコード、または肉眼で可視可能な文字もしくは記号を含むことを特徴とする。
【００１５】
また、請求項１０にかかる分注装置は、上記の発明において、前記吐出ノズルと接続されるとともに前記液体を保持するリザーバをさらに有し、前記リザーバに保持された前記液体は、毛細管力を利用して前記吐出ノズルに導入されることを特徴とする。
【００１６】
また、請求項１１にかかる分注装置は、上記の発明において、前記液体は、生体試料であることを特徴とする。
【００１７】
また、請求項１２にかかる分析装置は、上記の発明において、所定量の液体を保持し、当該液体を外部へ吐出する吐出量を決定する吐出ノズルと、前記吐出ノズルに接続されるとともに前記液体を外部へ吐出する際の流路となる吐出口と、前記吐出口から前記液体を外部へ吐出するための圧力を当該液体に加える加圧機構と、外部へ吐出される前記液体の吐出量に関する情報を保持する情報記憶部と、前記情報記憶部に保持された前記吐出量に関する情報を読み取る読取部と、前記読取部で読み取った前記吐出量に関する情報を処理する情報処理部と、を有することを特徴とする。
【００１８】
また、請求項１３にかかる分析装置は、上記の発明において、前記吐出量に関する情報に応じて補正を加える補正手段をさらに有することを特徴とする。
【００１９】
また、請求項１４にかかる分析装置は、上記の発明において、前記補正手段は、前記吐出量に関する情報と対応付けられた補正のための情報を有することを特徴とする。
【００２０】
また、請求項１５にかかる分析装置は、上記の発明において、前記補正手段は、外部へ吐出された後の前記液体に加える試薬の量を調整することを特徴とする。
【００２１】
また、請求項１６にかかる分析装置は、上記の発明において、前記補正手段は、外部へ吐出された後の前記液体の分析データを補正することを特徴とする。
【００２２】
また、請求項１７にかかる吐出チップは、上記の発明において、所定量の液体を保持し、当該液体を外部へ吐出する吐出量を決定する吐出ノズルと、前記吐出ノズルに接続されるとともに前記液体を外部へ吐出する際の流路となる吐出口と、前記液体に圧力が印加されることにより前記吐出口から外部へ吐出される前記液体の吐出量に関する情報を保持する情報記憶部と、を有することを特徴とする。
【発明の効果】
【００２３】
本発明にかかる分注装置、分析装置および吐出チップは、吐出チップが有する吐出ノズルが実際に吐出する実質吐出量をＩＣタグ等の記憶媒体に記憶させているので、吐出ノズルごとの実質吐出量を正確に把握することが出来るという効果を奏する。
【発明を実施するための最良の形態】
【００２４】
以下に添付図面を参照して、この発明にかかる分注装置、分析装置および吐出チップの好適な実施の形態を詳細に説明する。
【００２５】
（実施の形態１）
図１は、この発明の実施の形態１にかかる分析装置１の概要構成を示すブロック図である。図１に示すように、この分析装置１は、被分析対象である検体を微小量吐出し、吐出した検体に試薬を分注し、検体と試薬との混合液に対して吸光度測定を行う作業テーブル２と、作業テーブル２が行う作業を制御するとともに検体の吸光度を演算する制御部３とを有する。ここで、検体とは、血液、血液の抽出成分、唾液、リンパ液等の体液もしくはそれらから抽出される液体である生体試料をさし、試薬とは、検体と反応するまたは検体を希釈する液体をさしている。
【００２６】
作業テーブル２は、検体を吐出チップ１４に分注する分注機構１６と、検体をキュベット１１に吐出する吐出チップ１４と、検体が吐出されたキュベット１１に試薬を分注する分注機構６とを有する。図３に示すように、吐出チップ１４は、検体を貯留するリザーバ１４０、検体を吐出する吐出ノズル１４２、リザーバ１４０と吐出ノズル１４２とを接続する流路１４１、を有する。
【００２７】
さらに作業テーブル２は、血液、尿等の液体である検体を収容する検体容器１９と、検体容器１９を保持する検体ラック１８と、分注機構１６に取付けられた分注アーム１６０と、分注アーム１６０が有するノズルを洗浄し、前回の検体履歴を除去する洗浄部１７と、吐出チップ１４を固定するとともに回転し、検体が吐出チップ１４に分注される位置と吐出チップ１４がキュベット１１に検体を吐出する位置で停止する台座２０と、吐出チップ１４を加圧し、キュベット１１へ検体を吐出させる加圧機構１２とを有している。吐出チップ１４には、吐出チップ１４が検体を吐出する量に関する情報である吐出ノズル情報を記憶する記憶媒体であるＩＣタグ１５が埋め込まれている。さらに作業テーブル２は、ＩＣタグ１５が記憶する情報を読取るリーダ１３と、キュベット１１を保持するとともに回転し、キュベット１１を検体の吐出位置、試薬の分注位置、また検体と試薬との混合液に対する吸光度の測定位置でそれぞれ停止させるホルダ１０と、試薬容器５を保持する保冷庫４と、吸光度測定のため、検体と試薬とが混合された混合液に光を照射する光源部８と、キュベット１１を透過した透過光を受光する受光部９とを有する。
【００２８】
制御部３は、リーダ１３が読取った吐出ノズル情報を入力処理する読取情報処理部３０と、読取情報処理部３０が入力した吐出ノズル情報をもとに補正を加えるために検体に分注する試薬の量を演算する試薬分注量演算部３１と、作業テーブル２の受光部９が受光した光強度をもとに吸光度を演算する吸光度演算部３２と、リーダ１３の駆動を制御するリーダ駆動制御部３３とを有する。
【００２９】
ここで、吐出チップ１４の吐出動作について説明する。図２は、台座２０に固定された吐出チップ１４を示す平面図である。図２に示すように、４つの吐出チップ１４はそれぞれ２本のボルト１４３ａ，１４３ｂによって台座２０に固定されている。吐出チップ１４片側の角は、削り取られ、台座２０は、この片側に対応した位置に突起を有し、吐出チップ１４が裏返しに取付けられることを防止する。もちろん角が必ずしも削り取れている必要はない。台座２０は、分注アーム１６０が吐出チップ１４に検体を分注する位置で停止し、分注アーム１６０は、検体容器１９から検体を吸引し、吐出チップ１４に所定の量の検体を分注する。その後、台座２０は反時計方向に１／４回転し、吐出チップ１４がキュベット１１に所定の微小の量の検体を吐出する位置で停止する。
【００３０】
吐出チップ１４が微小の量の検体を吐出する位置で停止すると、加圧機構１２は下降して、吐出チップ１４に装着される。加圧機構１２は、吐出チップ１４に保持された液体を加圧し、吐出チップ１４からキュベット１１に検体を吐出させる。その後、リーダ１３は、リーダ駆動制御部３３の制御のもと駆動し、ＩＣタグ１５が記憶する吐出ノズル情報を読み取る。
【００３１】
図３は、吐出チップ１４の詳細と吐出チップ１４が台座２０に固定される状態を示す斜視図である。この吐出チップ１４は、３つの吐出ノズル１４２を有するとともに各吐出チップ１４の側面にはＩＣタグ１５が埋め込まれている。このＩＣタグ１５は、吐出チップ１４が有する各吐出ノズル１４２それぞれの吐出ノズル情報を記憶する。この吐出ノズル情報としては、吐出ノズル１４２の個体差に応じた情報が記憶されている。尚、個体差に応じた情報とは、吐出ノズル１４２ごとの容積のばらつきの情報であって、例えば、図７に示すように、吐出チップ１４を識別する「吐出チップＮｏ」、吐出チップ１４の製造に用いた金型を示す「製造金型Ｎｏ」、製造ロットを示す「製造ロットＮｏ」、また、吐出ノズル１４２の設計上の容量である「表記吐出量」、実際に液体を用いて計量された「実質吐出量」が記憶されている。もちろんＩＣタグ１５が記憶する情報は上記すべてを必ず含んでいる必要は無く、どれか一つで構わない。吐出チップ１４は、位置づれが起きないように２本のボルト１４３ａ，１４３ｂによって台座２０に固定されている。
【００３２】
吐出ノズル１４２は、キュベット１１の配列に合致するように配置されているため、３つの吐出ノズル１４２は、同時に３つのキュベット１１に対応する（同時に３つのキュベット上に配置可能である）。
【００３３】
図４は、加圧機構１２が装着された吐出チップ１４を示す断面図である。図４に示すように、加圧機構１２は、吐出チップ１４に加圧された気体を導入する気体導入管１２０と気体導入のタイミングを制御する開閉バルブ１２１と吐出チップ１４に導入された加圧気体を均等に印加するフィルタ１２２と吐出チップ１４との密着を行うＯリング１２３とを有する。一方、吐出チップ１４は、加圧機構１２の開閉バルブ１２１によって加圧気体がパルス状に導入されると、吐出ノズル１４２が保持する検体を吐出口１４３から吐出する。尚、フィルタ１２２が無くても、液体の吐出は可能である。
【００３４】
図５は、吐出チップ１４の詳細な外観を示す斜視図である。図５に示すように、リザーバ１４０と流路１４１と吐出ノズル１４２と吐出口１４３とは一体化されている。吐出ノズル１４２に満たされた検体が加圧されて吐出口１４３から吐出され、吐出ノズル１４２が空になると、検体は毛細管現象によってリザーバ１４０から流路１４１を介して吐出ノズル１４２に供給され、吐出ノズル１４２は、再び検体によって満たされる。つまり、吐出チップ１４は、吐出ノズル１４２の容積分の検体を吐出して、常に所定の量の検体を吐出する。
【００３５】
図６は、分析装置１の分注処理の動作手順を示すフローチャートである。まず、制御部３は、吐出チップ１４が検体の吐出位置に在るか否かを判断する（ステップＳ１０１）。吐出チップ１４が吐出位置にある場合（ステップＳ１０１，Ｙｅｓ）、キュベット１１へ検体を吐出させる（ステップ１０２）。その後、リーダ駆動制御部３３は、リーダ１３を駆動し、ＩＣタグ１５の記憶内容を読取る（ステップＳ１０３）。リーダ１３は、読取った吐出ノズル情報を読取情報処理部３０に送出する。読取情報処理部３０は、吐出ノズル情報から吐出ノズル１４２の設計上の量である表記吐出量と実際に液体を用いて計量した実質吐出量とを入力する。そして、読取情報処理部３０は、吐出を行った吐出ノズル１４２の実質吐出量Ｌが今回必要な吐出量に対して所定の許容範囲内（Ｌ０≦Ｌ≦Ｌ１）であるか否かを判断する（ステップＳ１０４）。実質吐出量Ｌが許容範囲内である場合（ステップＳ１０４，Ｙｅｓ）、制御部３は、分注機構６を制御し、キュベット１１に対して所定の量の試薬を分注する（ステップＳ１０５）。一方、実質吐出量Ｌが許容範囲内（Ｌ０≦Ｌ≦Ｌ１）にない場合（ステップＳ１０４，Ｎｏ）、試薬分注量演算部３１は、検体と試薬との液量比が許容範囲内となる試薬の分注量を演算する（ステップＳ１０６）。その後、制御部３は、分注機構６を駆動制御し、この検体が吐出されたキュベット１１に対して試薬分注量演算部３１が演算して量が調整された試薬を分注する（ステップＳ１０７）。なお、ステップＳ１０２とステップＳ１０３の順序は入れ替え可能である。また、同時に行ってもかまわない。
【００３６】
図８は、この分析装置１が所望の液量比の混合液によって吸光度の測定ができることを示す模式図である。たとえば、検体３０ｎＬを吐出し、試薬３μＬに対する液量比１．０％の混合液を測定する場合であって、吐出ノズル１４２の実質吐出量２７ｎＬである場合を仮定する。読取情報処理部３０は、ＩＣタグ１５を介してこの吐出ノズル１４２が２７ｎＬの検体を吐出したことを検知し、２７ｎＬが許容範囲外であると判断する。そこで、試薬分注量演算部３１は、液量比１．０％にする試薬の分注量２．７μＬを算出する。制御部３は、分注機構６を制御し、検体が２７ｎＬ吐出されたキュベット１１に対し、試薬を２．７μＬ分注する。結果、このキュベット１１の試薬に対する検体の液量比１．０％となり、所望の液量比１．０％の混合液に対して吸光度の測定が行える。すなわち、制御部３は、吐出ノズル１４２が実際に吐出する検体量を検知することによって、加える試薬量を演算し、演算した試薬を分注することによって、所望の液量比の混合液を作成できる。検体に比べ試薬のほうが必要量が多いので、試薬量の調整は検体量の調整に比べ容易である。
【００３７】
この実施の形態１では、吐出チップ１４に実質吐出量を記憶したＩＣタグ１５を取り付けたので、たとえ吐出チップ１４が実際に吐出する量が、吐出チップ１４の製造上の設計値とは異なっていても、吐出チップ１４から実際に吐出される量を正確に把握することが出来る。さらに、吐出チップ１４から検体を吐出させる際、吐出ノズル１４２が実際に吐出する実質吐出量を記憶したＩＣタグ１５をリーダ１３が読取り、この実質吐出量をもとに分注する試薬量を演算、調整するので、所望の液量比の混合液の吸光度測定を行うことができ、高精度の分析が行える。
【００３８】
なお、この実施の形態１では、ＩＣタグ１５を吐出チップ１４の側面に配置していたが、側面以外の場所に配置してもよい。また、吐出チップ１４は、３つの吐出ノズル１４２を有していたが、３つに限定するものではない。
【００３９】
また、ＩＣタグ１５が吐出ノズル情報を記憶していたが、ＩＣタグ１５に代えて光学的読取り可能なコード、または磁気テープ等が吐出ノズル情報を記憶し、これに対応し、リーダ１３を光学的読取り装置、磁気ヘッドに代えるようにしてもよい。また、記憶媒体として肉眼で可視可能な「文字」、「記号」等を吐出チップ１４に印字し、ＣＣＤカメラ等によってこれらを映し出し、可視できるようにしてもよい。実施の形態１では、検体をキュベット１１に分注した後で試薬をキュベット１１に分注していたが、試薬を分注した後に検体をキュベット１１に分注することも可能である。この場合には、予めＩＣタグから吐出ノズル情報を読み取っておき、その情報から演算した試薬量をキュベット１１へ分注した後で、検体をキュベット１１へ分注すればよい。
【００４０】
（実施の形態２）
つぎに、この発明の実施の形態２について説明する。実施の形態１では、検体を先に吐出させた後に吐出量に対応した試薬を分注していたが、この実施の形態２では、試薬を先に分注した後に検体を吐出し、測定結果を補正するようにしている。
【００４１】
図９は、この実施の形態２にかかる分析装置１Ａの概要構成を示すブロック図である。図９に示すように、この分析装置１Ａは、実施の形態１で示した制御部３を制御部３Ａに代えている。制御部３Ａは、試薬分注量演算部３１を補正部３４に代え、補正部３４は、テーブル３４０を有する。テーブル３４０には、吐出ノズル情報と対応付けられた補正のための情報が記載されている。その他の構成は、実施の形態１と同じであり、同一構成部分には同一符号を付している。
【００４２】
この分析装置１Ａは、ホルダ１０が上面から見て反時計回りに移動し、分注機構６が所定の量の試薬をキュベット１１に分注後、吐出チップ１４がこのキュベット１１に検体を吐出するようにしている。先に試薬を分注し、量を調整した検体を後から吐出する場合、検体の吐出量が微量であるため調整が難しく、所望の液量比の混合液にして吸光度の測定を行うことが難しい。
【００４３】
そこで、一旦、所定の液量比となっていない混合液に対して吸光度測定を行った後、制御部３Ａは、リーダ１３を介して検知した実質吐出量をもとにこの測定結果が所定の液量比で行った測定結果となるような補正を行う。
【００４４】
図１０は、この分析装置１Ａの一連の動作を示すフローチャートである。図１０に示すように、まず、分注機構６は、キュベット１１に所定の量の試薬を分注する（ステップＳ２０１）。その後、制御部３Ａは、吐出チップ１４が吐出位置に在るか否かを判断し（ステップＳ２０２）、吐出チップ１４が吐出位置に在れば（ステップＳ２０２，Ｙｅｓ）、このキュベット１１に検体を吐出させ（ステップＳ２０３）、ＩＣタグ１５が記憶する吐出ノズル情報を読取る（ステップＳ２０４）。その後、この試薬と検体との混合液に対する吸光度の測定を行い、吸光度の演算を行う（ステップＳ２０５）。読取処理部３０は、リーダ１３を介して実質吐出量Ｌを入力し、実質吐出量Ｌが許容範囲内（Ｌ０≦Ｌ≦Ｌ１）にあるか否かを判断する（ステップＳ２０６）。実質吐出量Ｌが許容範囲内（Ｌ０≦Ｌ≦Ｌ１）である場合（ステップＳ２０６，Ｙｅｓ）、制御部３Ａは、吸光度演算部３２が演算した演算結果をそのまま吸光度の結果とする。一方、実質吐出量Ｌが許容範囲内（Ｌ０≦Ｌ≦Ｌ１）にない場合（ステップＳ２０６，Ｎｏ）、補正部３４は、テーブル３４０に記載されている実質吐出量Ｌに対応した補正係数を演算結果に乗算し、測定結果の補正を行う（ステップＳ２０７）。
【００４５】
図１１は、このテーブル３４０に記載されている内容の例示である。図１１に示すように、表記吐出量に対して実質吐出量とともに液量比と補正係数とが記載されている。また、この例示は、表記吐出量３０ｎＬの内容を示しているが、異なる表記吐出量に対応できるようにしている。
【００４６】
図１２は、この分析装置１Ａが、試薬と検体との混合液が所望の液量比でない場合でも測定結果に対して補正を行うことによって、所望の液量比で行った測定結果と一致させることができることを示す模式図である。図１２に示すように、たとえば、試薬と検体との所望の液量比１．０％であった場合、試薬３μＬを分注した後、表記吐出量３０ｎＬであって実質吐出量２７ｎＬの検体が吐出されたとする。この場合、試薬と検体との液量比０．９％となる。吸光度演算部３２は、液量比０．９％の混合液に対して吸光度の演算を行う。検体の吐出量２７ｎＬが許容範囲外であった場合、補正部３４は、テーブル３４０から実質吐出量２７ｎＬ、液量比０．９％に対応する補正係数１．３を読出し、測定結果に１．３を乗算する。結果、試薬と検体との液量比０．９％に対して測定を行った場合でも、液量比１．０％に対して測定した結果と一致させることができる。
【００４７】
この実施の形態２では、先に試薬を分注し、その後検体を吐出した場合であっても分析結果を補正することによって、正確な分析結果を取得することができる。なお、この実施の形態２では、補正部３４がテーブル３４０を有していたが、補正を行う都度、補正係数を演算するようにしてもよい。また、補正部３４は、補正係数を分析結果に乗算するようにしていたが、他の方法を用いて演算結果を補正してもよい。
【００４８】
上述した実施の形態１では、吐出ノズル１４２が実際に吐出する吐出量を検知することによって、所望の液量比の混合液を作成でき、高精度の分析が行える。また、実施の形態２の様に分析結果に補正を加えることによっても所望の液量比の混合液に対して行った吸光度測定と同じ分析結果を得ることができる。
【００４９】
なお、この実施の形態１では、制御部３が試薬分注量演算部３１を有し、実施の形態２では、制御部３Ａが補正部３４を有していたが、制御部がこの双方が行えるように試薬分注量演算部３１と補正部３４との双方を有するようにしてもよい。
【図面の簡単な説明】
【００５０】
【図１】この発明の実施の形態１にかかる分析装置の概要構成を示すブロック図である。
【図２】この発明の実施の形態１にかかる台座と吐出チップの上面を示す平面図である。
【図３】この発明の実施の形態１にかかる吐出チップの取付け状況を示す斜視図である。
【図４】この発明の実施の形態１にかかる加圧機構の断面を示す断面図である。
【図５】この発明の実施の形態１にかかる吐出チップの詳細を示す斜視図である。
【図６】この発明の実施の形態１にかかる分析装置の分注動作を示すフローチャートである。
【図７】この発明の実施の形態１にかかるＩＣタグが記憶する内容を示す模式図である。
【図８】この発明の実施の形態１にかかる分析装置の動作を示す模式図である。
【図９】この発明の実施の形態２にかかる分析装置の概要構成を示すブロック図である。
【図１０】この発明の実施の形態２にかかる分析装置の分注動作を示すフローチャートである。
【図１１】この発明の実施の形態２にかかるテーブルの内容を示す模式図である。
【図１２】この発明の実施の形態２にかかる分析装置の動作を示す模式図である。
【符号の説明】
【００５１】
１，１Ａ  分析装置
２  作業テーブル
３，３Ａ  制御部
４  保冷庫
５  試薬容器
６，１６  分注機構
７，１６０  分注アーム
８  光源部
９  受光部
１０  ホルダ
１１  キュベット
１２  加圧機構
１３  リーダ
１４  吐出チップ
１５  ＩＣタグ
１７  洗浄部
１８  検体ラック
１９  検体容器
２０  台座
３０  読取情報処理部
３１  試薬分注量演算部
３２  吸光度演算部
３３  リーダ駆動部
３４  補正部
１４０  リザーバ
１４１  流路
１４２  吐出ノズル
１４３  吐出口
３４０  テーブル
【図１】
2007170973.tif 000003
【図２】
2007170973.tif 000004
【図３】
2007170973.tif 000005
【図４】
2007170973.tif 000006
【図５】
2007170973.tif 000007
【図６】
2007170973.tif 000008
【図７】
2007170973.tif 000009
【図８】
2007170973.tif 000010
【図９】
2007170973.tif 000011
【図１０】
2007170973.tif 000012
【図１１】
2007170973.tif 000013
【図１２】
2007170973.tif 000014